(57)【特許請求の範囲】
【請求項１】
変調される音信号と同期した、少なくとも1つ以上の新たな同期音信号を生成する同期音生成手段と、
前記生成された同期音信号の属性を示す拍子を検出するパラメータ検出手段と、
前記検出された拍子に基づいて、変換信号を生成する変換信号生成手段と、
前記生成された変換信号に基づいて、前記音信号を変調する変調手段と、
前記変調される音信号と、前記生成される同期音と、の開始時間差の設定に用いられる時間差設定手段と、
を備え、
前記同期音生成手段は、前記時間差設定手段によって設定される少なくとも２つ以上の時間差に基づいて、少なくとも２つ以上の時間差を持った前記同期音を生成し、
前記変換信号生成手段には、前記検出された拍子部分の前記同期音信号の音量レベルを検出する音量レベル検出手段と、
前記音量レベル検出手段の入力信号の振幅を大きくしたり小さくしたりする検出感度設定手段と、
を含み、
前記変調手段は、前記検出された音量レベルに基づいて、前記変調される音信号の変調態様を変化させることを特徴とする音処理装置。
【請求項２】
請求項１に記載の音処理装置において、
前記変調手段は、
前記検出された音量レベルに基づいて、前記変調される音信号を時間遅延させて時間遅延信号を生成する時間遅延手段と、
前記時間遅延された時間遅延信号の利得を変化させる利得変化手段と、
前記利得変化された時間遅延信号と、前記変調される音信号とを加算し、前記加算された信号を前記時間遅延手段に帰還して入力する第1の加算手段と、
前記時間遅延された時間遅延信号と、前記変調される音信号とを加算し、前記加算された信号を出力する第2の加算手段と、
を備えることを特徴とする音処理装置。
【請求項３】
請求項１に記載の音処理装置において、
前記変調手段は、
前記検出された音量レベルに基づいて、前記変調される音信号を位相遅延させて位相遅延信号を生成する位相遅延手段と、
前記位相遅延された位相遅延信号の利得を変化させる利得変化手段と、
前記利得変化された位相遅延信号と、前記変調される音信号とを加算し、前記加算された信号を前記位相遅延手段に帰還入力する第1の加算手段と、
前記位相遅延手段によって位相遅延された位相遅延信号と、前記変調される音信号とを加算し、前記加算された信号を出力する第2の加算手段と、
を備えることを特徴とする音処理装置。
【請求項４】
請求項１に記載の音処理装置において、
前記変調手段は、
少なくとも1つ以上の遮断周波数を有する特定周波数帯域通過手段であって、前記検出された音量レベルに基づいて、いずれかの前記遮断周波数の値を変化させる特定周波数帯域通過手段と、
前記特定周波数帯域通過手段を通過した通過信号と、前記変調される音信号とを加算し、前記加算された信号を前記特定周波数帯域通過手段に帰還入力する加算手段と、
を備えることを特徴とする音処理装置。
【請求項５】
変調される音信号と同期した、少なくとも1つ以上の新たな同期音信号を生成する同期音生成工程と、
前記生成された同期音信号の属性を示す拍子を検出するパラメータ検出工程と、
前記検出された拍子に基づいて、変換信号を生成する変換信号生成工程と、
前記生成された変換信号に基づいて、前記音信号を変調する変調工程と、
前記変調される音信号と、前記生成される同期音と、の開始時間差の設定に用いられる時間差設定工程と、
を備え、
前記同期音生成工程は、前記時間差設定工程によって設定される少なくとも２つ以上の時間差に基づいて、少なくとも２つ以上の時間差を持った前記同期音を生成し、
前記変換信号生成工程には、前記検出された拍子部分の前記同期音信号の音量レベルを検出する音量レベル検出工程と、
前記音量レベル検出工程の入力信号の振幅を大きくしたり小さくしたりする検出感度設定工程と、
を含み、
前記変調工程は、前記検出された音量レベルに基づいて、前記変調される音信号の変調態様を変化させることを特徴とする音処理方法。
【請求項６】
変調される音を変調する音処理装置に含まれるコンピュータを、
変調される音信号と同期した、少なくとも1つ以上の新たな同期音信号を生成する同期音生成手段と、
前記生成された同期音信号の属性を示す拍子を検出するパラメータ検出手段と、
前記検出された拍子に基づいて、変換信号を生成する変換信号生成手段と、
前記生成された変換信号に基づいて、前記音信号を変調する変調手段と、
前記変調される音信号と、前記生成される同期音と、の開始時間差の設定に用いられる時間差設定手段、
として機能させ、
前記同期音生成手段は、前記時間差設定手段によって設定される少なくとも1つ以上の時間差に基づいて、少なくとも1つ以上の時間差を持った前記同期音を生成する手段として機能させ、
前記同期音生成手段は、前記時間差設定手段によって設定される少なくとも２つ以上の時間差に基づいて、少なくとも２つ以上の時間差を持った前記同期音を生成し、
前記変換信号生成手段は、前記検出された拍子部分の前記同期音信号の音量レベルを検出する音量レベル検出手段、前記音量レベル検出手段の入力信号の振幅を大きくしたり小さくしたりする検出感度設定手段として機能させ、
前記変調手段は、前記検出された音量レベルに基づいて、前記変調される音信号の変調態様を変化させる機能を有することを特徴とする音処理プログラム。
【請求項７】
請求項６に記載の音処理プログラムを記録した、コンピュータに読み取り可能な情報記録媒体。
【発明の詳細な説明】
【技術分野】
【０００１】
本願は、音処理装置の技術分野に関する。
背景技術【０００２】
従来から、入力された原音に対して何らかの処理を施して音を変化させる機械であるいわゆるエフェクタという機械が知られている。エフェクタには、入力された原音に位相差を持たせ、または時間差を持たせた音を元の原音に加算した後に出力させることにより、出力音を揺らせて空間的的な広がりや奥行きを聴取者に感じさせる効果を創出するいわゆるモジュレーション系エフェクタ等の様々なエフェクタが知られている。
【発明の開示】
【発明が解決しようとする課題】
【０００３】
しかし、上述したエフェクタによる効果音の繰り返しは、エフェクタに入力される音とは無関係にエフェクタ内部の独立した回路構成を利用していた。したがって、エフェクタに入力される音が変化してしまうと、エフェクタによる効果音の始まりタイミングと入力される音のテンポやリズム等の拍子とが一致しなくなり、聴取者にとって不快な効果音や心地よくない効果音と感じる不用な効果音となってしまっていた。【０００４】
具体的には、ＣＤ(Compact Disc)等の音楽が流れるダンスホールにおいて、ディスクジョッキーがエフェクタを使用して効果音を発生させることにより、聴取者は様々な刺激のある音を聴取しながら、様々なステップを音楽に合わせて踏むことができる。しかし、ＣＤ等の回転数を変化させて曲調を変化させた場合または音源を変える等の、音源に変化を与える操作を行うと、エフェクタの効果音が聴取者にとって予期せぬタイミング等で発生する。そのため、聴取者は不快な感覚を持つので、ディスクジョッキーは、音のテンポやリズム等の拍子と効果音の発生のタイミングがずれていないかを耳で聞いて確認しながら、次の効果音の選択または音源変更等の次の操作準備をしなければならないという煩わしい作業をしなければならなかった。【０００５】
そこで、本願は、ディスクジョッキー等のユーザが煩わしい作業をすることがないように、音源に合わせて効果音を自動的に発生させることができる音処理装置を提供することにある。
【課題を解決するための手段】
【０００６】
本発明の音処理装置は、変調される音信号と同期した、少なくとも1つ以上の新たな同期音信号を生成する同期音生成手段と、前記生成された同期音信号の属性を示す拍子を検出するパラメータ検出手段と、前記検出された拍子に基づいて、変換信号を生成する変換信号生成手段と、前記生成された変換信号に基づいて、前記音信号を変調する変調手段と、前記変調される音信号と、前記生成される同期音と、の開始時間差の設定に用いられる時間差設定手段とを備え、前記同期音生成手段は、前記時間差設定手段によって設定される少なくとも２つ以上の時間差に基づいて、少なくとも２つ以上の時間差を持った前記同期音を生成し、前記変換信号生成手段には、前記検出された拍子部分の前記同期音信号の音量レベルを検出する音量レベル検出手段と、前記音量レベル検出手段の入力信号の振幅を大きくしたり小さくしたりする検出感度設定手段と、を含み、前記変調手段は、前記検出された音量レベルに基づいて、前記変調される音信号の変調態様を変化させることを特徴とする。
【０００７】
この構成によれば、変調される音の拍子の間隔が一定でない場合や、変調される音の拍子の間隔が徐々に長くなる場合や短くなる場合であったとしても、変調される音の拍子と同期して、変調される音が変調され、効果音が発生するようになる。【０００８】
具体的には、上記構成によりＣＤ再生装置等の情報再生装置で再生された楽曲などの音に効果音を付加するタイミングが一定となることより、ＣＤ再生装置等の情報再生装置で再生された楽曲などの音の拍子およびリズムに変動があった場合にも、拍子の発生後一定時間内に効果音が生成されるため、聴取者は違和感を感ぜずに、楽曲等の音の効果音を楽しむことができる。【０００９】
また、ディスクジョッキーにとっても、効果音が聴取者にとって違和感なく連続して発生するので、効果音の発生タイミングを微調整するなどの煩わしい作業を行うことがなくなる。また、次に再生させるべきＣＤ等の情報記録媒体の選択や、次に発生させるべき効果音の選択に集中することができるようになり、ディスクジョッキーにとって非常に操作性のよい音処理装置を提供できるようになる。【００１１】
この構成によれば、変調される音の拍子に同期して複数の同期音を発生させ、複数の同期音に基づいて、変調手段によって複数の効果音を発生させることができる。その結果、一つの拍子に対して多彩なパターンの効果音を楽しむことが可能になる。【００１２】
また、時間差は、時間差値が入力されることによって設定されることができるほか、ディスクジョッキーが拍子を手で叩いて入力することにより、自動的に変調される音の拍子からの時間差が設定されることも可能である。この場合には、ディスクジョッキーの感覚により、即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【００１３】
さらに、ディスクジョッキーは、効果音が拍子とずれることを心配する必要がないので、次の効果音を発生する準備や次に再生されるべき音を時間的に余裕をもって選択することができるようになる。【００１４】
本発明の音処理装置において、前記変調手段は、前記検出された音量レベルに基づいて、前記変調される音信号を時間遅延させて時間遅延信号を生成する時間遅延手段と、前記時間遅延された時間遅延信号の利得を変化させる利得変化手段と、前記利得変化された時間遅延信号と、前記変調される音信号とを加算し、前記加算された信号を前記時間遅延手段に帰還して入力する第１の加算手段と、前記時間遅延された時間遅延信号と、前記変調される音信号とを加算し、前記加算された信号を出力する第２の加算手段とを備える。【００１５】
この構成によれば、変調される音の拍子に同期した一以上の独特のうねりをもった効果音を発生させることができる。その結果、一つの拍子に対して多彩な時間差を持つ音の効果音を楽しむことが可能になる。【００１６】
また、ディスクジョッキーの感覚により、時間差設定手段の一例としての遅延時間設定部によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【００１７】
さらに、ディスクジョッキーは、効果音が拍子とずれることを心配する必要がないので、次の効果音を発生する準備や次に再生されるべき音を時間的に余裕をもって選択することができるようになる。【００１８】
具体的には、従来は、単純な三角波形や三角関数であるサイン波形の音量レベルに基づいて変調の態様を決めていたために、決まったパターンに基づいた変調度合いによる効果音のみしか聴取者は楽しむことができなかった。しかし、この実施形態の構成によれば、変調される音の波形は、自在に変化するため、変調の態様も予期せぬパターンとなり、ユーザは様々なパターンの効果音を楽しむことが可能となる。【００１９】
例えば、ディスクジョッキーが音処理装置を用いて、ダンスホール等の踊り場所において様々な効果音を発生することができるので、ユーザは様々な踊りかたを楽しむことが可能となる。【００２０】
本発明の音処理装置において、前記変調手段は、前記検出された音量レベルに基づいて、前記変調される音信号を位相遅延させて位相遅延信号を生成する位相遅延手段と、前記位相遅延された位相遅延信号の利得を変化させる利得変化手段と、前記利得変化された位相遅延信号と、前記変調される音信号とを加算し、前記加算された信号を前記位相遅延手段に帰還入力する第１の加算手段と、前記位相遅延手段によって位相遅延された位相遅延信号と、前記変調される音信号とを加算し、前記加算された信号を出力する第２の加算手段とを備える。【００２１】
この構成によれば、変調される音の拍子に同期した一以上の独特のうねりをもった高周波数成分が強調された音を発生させることができる。その結果、一つの拍子に対して多彩な時間差を持つ音の効果音を楽しむことが可能になる。【００２２】
また、ディスクジョッキーの感覚により、遅延時間設定部４によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【００２３】
さらに、ディスクジョッキーは、効果音が拍子とずれることを心配する必要がないので、次の効果音を発生する準備や次に再生されるべき音を時間的に余裕をもって選択することができるようになる。【００２４】
本発明の音処理装置において、前記変調手段は、少なくとも１つ以上の遮断周波数を有する特定周波数帯域通過手段であって、前記検出された音量レベルに基づいて、いずれかの前記遮断周波数の値を変化させる特定周波数帯域通過手段と、前記特定周波数帯域通過手段を通過した通過信号と、前記変調される音信号とを加算し、前記加算された信号を前記特定周波数帯域通過手段に帰還入力する加算手段とを備える。【００２５】
この構成によれば、変調される音の拍子に同期して低周波数成分の遮断周波数が変化するので独特な音を発生させることができる。その結果、一つの拍子に対して多彩な時間差を持つ効果音を楽しむことが可能になる。【００２６】
また、ディスクジョッキーの感覚により、時間差設定手段によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【００２７】
さらに、ディスクジョッキーは、効果音が拍子とずれることを心配する必要がないので、次の効果音を発生する準備や次に再生されるべき音を時間的に余裕をもって選択することができるようになる。【００２８】
本発明の音処理方法は、変調される音信号と同期した、少なくとも1つ以上の新たな同期音信号を生成する同期音生成工程と、前記生成された同期音信号の属性を示す拍子を検出するパラメータ検出工程と、前記検出された拍子に基づいて、変換信号を生成する変換信号生成工程と、前記生成された変換信号に基づいて、前記音信号を変調する変調工程と、前記変調される音信号と、前記生成される同期音と、の開始時間差の設定に用いられる時間差設定工程とを備え、前記同期音生成工程は、前記時間差設定工程によって設定される少なくとも２つ以上の時間差に基づいて、少なくとも２つ以上の時間差を持った前記同期音を生成し、前記変換信号生成工程には、前記検出された拍子部分の前記同期音信号の音量レベルを検出する音量レベル検出工程と、前記音量レベル検出工程の入力信号の振幅を大きくしたり小さくしたりする検出感度設定工程と、を含み、前記変調工程は、前記検出された音量レベルに基づいて、前記変調される音信号の変調態様を変化させることを特徴とする。
【００２９】
この構成によれば、変調される音の拍子の間隔が一定でない場合や、変調される音の拍子の間隔が徐々に長くなる場合や短くなる場合であったとしても、変調される音の拍子と同期して、変調される音が変調され、効果音が発生するようになる。【００３０】
具体的には、上記構成によりＣＤ再生装置等の情報再生装置で再生された楽曲などの音に効果音を付加するタイミングが一定となることより、ＣＤ再生装置等の情報再生装置で再生された楽曲などの音の拍子およびリズムに変動があった場合にも、拍子の発生後一定時間内に効果音が生成されるため、聴取者は違和感を感ぜずに、楽曲等の音の効果音を楽しむことができる。【００３１】
また、ディスクジョッキーにとっても、効果音が聴取者にとって違和感なく連続して発生するので、効果音の発生タイミングを微調整するなどの煩わしい作業を行うことがなくなる。また、次に再生させるべきＣＤ等の情報記録媒体の選択や、次に発生させるべき効果音の選択に集中することができるようになり、ディスクジョッキーにとって非常に操作性のよい音処理装置を提供できるようになる。【００３２】
本発明の音処理プログラムは、変調される音を変調する音処理装置に含まれるコンピュータを、変調される音信号と同期した、少なくとも1つ以上の新たな同期音信号を生成する同期音生成手段と、前記生成された同期音信号の属性を示す拍子を検出するパラメータ検出手段と、前記検出された拍子に基づいて、変換信号を生成する変換信号生成手段と、前記生成された変換信号に基づいて、前記音信号を変調する変調手段と、前記変調される音信号と、前記生成される同期音と、の開始時間差の設定に用いられる時間差設定手段、として機能させ、前記同期音生成手段は、前記時間差設定手段によって設定される少なくとも２つ以上の時間差に基づいて、少なくとも２つ以上の時間差を持った前記同期音を生成する手段として機能させ、前記変換信号生成手段は、前記検出された拍子部分の前記同期音信号の音量レベルを検出する音量レベル検出手段、前記音量レベル検出手段の入力信号の振幅を大きくしたり小さくしたりする検出感度設定手段として機能させ、前記変調手段は、前記検出された音量レベルに基づいて、前記変調される音信号の変調態様を変化させる機能を有することを特徴とする。
【００３３】
この構成によれば、変調される音の拍子の間隔が一定でない場合や、変調される音の拍子の間隔が徐々に長くなる場合や短くなる場合であったとしても、変調される音の拍子と同期して、変調される音が変調され、効果音が発生するようになる。【００３４】
具体的には、上記構成によりＣＤ再生装置等の情報再生装置で再生された楽曲などの音に効果音を付加するタイミングが一定となることより、ＣＤ再生装置等の情報再生装置で再生された楽曲などの音の拍子およびリズムに変動があった場合にも、拍子の発生後一定時間内に効果音が生成されるため、聴取者は違和感を感ぜずに、楽曲等の音の効果音を楽しむことができる。【００３５】
また、ディスクジョッキーにとっても、効果音が聴取者にとって違和感なく連続して発生するので、効果音の発生タイミングを微調整するなどの煩わしい作業を行うことがなくなる。また、次に再生させるべきＣＤ等の情報記録媒体の選択や、次に発生させるべき効果音の選択に集中することができるようになり、ディスクジョッキーにとって非常に操作性のよい音処理装置を提供できるようになる。
【図面の簡単な説明】
【００３６】
【図１】各実施形態の音処理装置の概要構成を示すブロック図である。
【図２】加算信号Ｓｄａの波形を模式的にあらわした図である。
【図３】制御信号Ｓｄｍの波形を模式的にあらわした図である。
【図４】第１実施形態の構成を示すブロック図である。
【図５】第１実施形態の信号変換の様子をあらわした図である。
【図６】第１実施形態の動作を示すフローチャートである。
【図７】第２実施形態の構成を示すブロック図である。
【図８】第２実施形態の信号変換の様子をあらわした図である。
【図９】第２実施形態の動作を示すフローチャートである。
【図１０】第３実施形態の構成を示すブロック図である。
【図１１】第３実施形態の信号変換の様子をあらわした図である。
【図１２】第３実施形態の動作を示すフローチャートである。
【符号の説明】
【００３７】
１、２、３、９  …  遅延部
４              …  遅延時間設定部
５、１１、１３  …  加算部
６              …  パラメータ検出部
７              …  強度調整部
８              …  信号変換部
１０            …  レゾナンス量設定部
１２            …  バッファ部  
ＤＢ、ＤＢ１、ＤＢ２、ＤＢ３  …  遅延部
ＭＢ、ＭＢ１、ＭＢ２、ＭＢ３  …  変調部
【発明を実施するための最良の形態】
【００３８】
次に、本願に最適な実施の形態について、図面に基づいて説明する。【００３９】
なお、以下の実施形態は、ディスコホールまたはダンスホール等の遊興施設で、お客を踊らせて楽しませるために拡声される音楽に変化を加えるなどしながら、次々と音楽をかけていく職業であるいわゆるディスクジョッキーが操作するＣＤまたはＤＶＤ(Digital Versatile Disc)エフェクタに対して本願の音処理装置を適用した場合の実施形態である。【００４０】
また、第１の実施形態においては、複数の遅延時間を設定できるいわゆるタップディレイ回路と、入力された音にわずかに遅れた音を加えて、その遅延時間を変化させることで独特のうねりの効果音を得るいわゆるフランジャーとを組み合わせた装置に本願を適用した場合について説明する。第２の実施形態においては、いわゆるタップディレイ回路と、音の位相を変化させ、音に回転感を与える効果音を発生させるいわゆるフェイザーとを組み合わせた装置に本願を適用した場合について説明する。第３の実施形態においては、いわゆるタップディレイ回路と、入力音の一部の周波数帯域の音を変化させながら通過させるフィルター回路とを組み合わせた装置に本願を適用した場合について説明する。【００４１】
（Ｉ）全体構成及び動作
始めに、各実施形態に係る音処理装置の全体構成について、図１乃至図３を用いて説明する。なお、図１は、各実施形態に係る音処理装置の概要構成例を示すブロック図である。図２は、後述する加算信号Ｓｄａの波形の概要を模式的にあらわした図であり、図３は、後述する制御信号Ｓｄｍの波形の概要を模式的にあらわした図である。【００４２】
各実施形態に係わる音処理装置Ｓは、図１に示すように、入力信号ＳｉとしてＣＤの再生信号、ＤＶＤの再生信号またはアナログレコードの再生信号等の音信号が入力されるようになっている。音処理装置Ｓは、これらの入力信号Ｓｉの取得を行った後に、入力信号Ｓｉに対して所定の音響効果を表す信号処理を行うようになっている。そして、所定の音響効果を表す信号処理が行われた出力信号Ｓｏは、複数のスピーカからなるスピーカシステム（図示せず）によって、信号処理された音を各スピーカに拡声し、聴取者に対して独特の音響効果が表された音を提供し、楽しく、刺激的な、独特のリズムを音場空間に提供するようになっている。【００４３】
たとえば、ディスコやダンスホール等の遊興施設において、ＣＤ、ＤＶＤまたはアナログレコードから再生される音に対して独創的な音響効果を演出するいわゆるディスクジョッキーが、この音処理装置を使用することができる。この場合、この音処理装置によって創造される音響効果はいわゆるエフェクタとして機能し、ディスコやダンスホール等の遊興施設において、音楽に合わせて踊っているものに、よりよい独特の音響効果が表された音を提供し、より従来のエフェクタよりもより楽しく、刺激的な、独特のリズムを音場空間に提供するようになっている。【００４４】
この音処理装置Ｓは、記録メディアなどの音源を再生することにより、または、有線放送などの外部から音源を取得することにより、入力信号Ｓｉを獲得し、入力信号Ｓｉを予め定められた時間だけ遅延させる遅延部１，２，３と、予め定められた遅延されるべき時間を複数設定するための遅延時間設定部４と、それぞれ異なる遅延時間を有する遅延信号Ｓｄ１ｏ、Ｓｄ２ｏ、Ｓｄ３ｏを加算する加算部５と、加算信号Ｓｄａからその属性を示すパラメータ成分を検出するパラメータ検出部６と、検出された検出信号Ｓｄｅを基にして変調部ＭＢを制御する制御信号Ｓｄｍを生成する信号変換部８と、信号変換部８における信号変換の強度が設定される強度調整部７と、信号変換部８によって生成された制御信号Ｓｄｍを基にして入力信号を変調する変調部ＭＢとから構成される。【００４５】
なお、変調部ＭＢから出力された出力信号Ｓｏは、図示しない電力増幅器等を介してスピーカ、ヘッドフォン等の拡声器によって、入力信号Ｓｉに効果音が付加された音として聴取者、すなわちディスクジョッキー又はダンスを楽しむ者に提供される。【００４６】
入力信号Ｓｉは、例えば、ＣＤまたはＤＶＤなどのメディア再生装置またはテレビジョン放送を受信する受信装置から出力される音情報に関する信号である。【００４７】
遅延部１には、入力信号Ｓｉと、遅延時間設定部４において遅延部１用に設定された遅延時間をあらわす遅延時間信号Ｓｄ１とが入力される。入力信号Ｓｉは、遅延時間信号Ｓｄ１によってあらわされる遅延時間ｄ１だけ遅延部１において時間遅延される。その結果、入力信号Ｓｉに対して遅延時間ｄ１だけ遅延された遅延信号Ｓｉｄ１が遅延部１から出力される。出力された遅延信号Ｓｉｄ１は加算部５に入力される。【００４８】
遅延部２には、入力信号Ｓｉと、遅延時間設定部４において遅延部２用に設定された遅延時間をあらわす遅延時間信号Ｓｄ２とが入力される。入力信号Ｓｉは、遅延時間信号Ｓｄ２によってあらわされる遅延時間ｄ２だけ遅延部２において時間遅延される。その結果、入力信号Ｓｉに対して遅延時間ｄ２だけ遅延された遅延信号Ｓｉｄ２が遅延部２から出力される。出力された遅延信号Ｓｉｄ２は加算部５に入力される。【００４９】
遅延部３には、入力信号Ｓｉと、遅延時間設定部４において遅延部３用に設定された遅延時間をあらわす遅延時間信号Ｓｄ３とが入力される。入力信号Ｓｉは、遅延時間信号Ｓｄ３によってあらわされる遅延時間ｄ３だけ遅延部３において時間遅延される。その結果、入力信号Ｓｉに対して遅延時間ｄ３だけ遅延された遅延信号Ｓｉｄ３が遅延部３から出力される。出力された遅延信号Ｓｉｄ３は加算部５に入力される。【００５０】
遅延時間設定部４は、いわゆるディスクジョッキー等のユーザ操作に基づいて各遅延部１、２、３における遅延されるべき遅延時間が設定される部分である。ユーザが遅延時間ｄ１、ｄ２、ｄ３を遅延時間設定部４に数値として入力することが可能である。【００５１】
また、遅延時間の設定方法は遅延時間を数値で入力する以外の方法で設定することも可能である。たとえば、ユーザが入力信号Ｓｉから発生する音を試聴しながら、当該音にあわせて遅延時間設定部４を操作して遅延時間を設定することも可能である。【００５２】
例えば、ユーザが当該音を聞きながらリズムの先頭部分で遅延時間設定部４を操作すると、遅延時間設定時間の計測が遅延時間設定部４内部で開始される。ディスクジョッキーがリズムに合わせて遅延時間設定部４を再度操作すると、最初にユーザが遅延時間設定部４を操作した時からの経過時間が遅延時間ｄ１となる。さらに、ユーザがリズムに合わせて次に遅延時間設定部４を操作すると、最初にユーザが遅延時間設定部４を操作した時からの経過時間が遅延時間ｄ２となる。さらに、ユーザがリズムに合わせて次に遅延時間設定部４を操作すると、最初にユーザが遅延時間設定部４を操作した時からの経過時間が遅延時間ｄ３となる。最初にユーザが遅延時間設定部４を操作した時から、何回操作するまでを遅延時間として設定するかは、遅延時間設定部４に数値として入力することができる。また遅延時間ｄ１、ｄ２、ｄ３の値をクリアして、あらたに遅延時間を設定することも、遅延時間設定部４を操作することにより可能である。【００５３】
加算部５には、遅延部１、遅延部２および遅延部３から出力された遅延信号Ｓｉｄ１、遅延信号Ｓｉｄ２および遅延信号Ｓｉｄ３が入力される。入力された各遅延信号は、加算部５によって加算され、加算部５は加算信号Ｓｄａを出力する。【００５４】
図２に加算信号Ｓｄａを模式的にあらわした信号波形を示す。図２は、横軸に時間があらわされ、縦軸に信号の振幅の大きさである音の大きさがあらわされている。入力信号Ｓｉは、時間軸の原点ＯとＴ１のタイミングで遅延部１、２、３に入力されているものとする。【００５５】
遅延信号Ｓｄ１は、入力信号Ｓｉが遅延部１に入力されたタイミングである時間軸の原点ＯおよびＴ１のタイミングから遅延時間設定部４において設定された遅延時間ｄ１が経過した後に、発生するとともに信号の大きさが大きくなっていく様子があらわされている。遅延信号Ｓｄ１の波形形状は入力信号Ｓｉと同一である。また、遅延信号Ｓｄ２は、入力信号Ｓｉが遅延部２に入力されたタイミングである時間軸の原点ＯとＴ１のタイミングから遅延時間設定部４において設定された遅延時間ｄ２が経過した後に、発生するとともに信号の振幅が大きくなっていく様子があらわされている。遅延信号Ｓｄ２の波形形状も入力信号Ｓｉと同一である。さらに、遅延信号Ｓｄ３は、入力信号Ｓｉが遅延部３に入力されたタイミングである時間軸の原点ＯとＴ１のタイミングから遅延時間設定部４において設定された遅延時間ｄ３が経過した後に、発生するとともに信号の大きさが大きくなっていく様子があらわされている。遅延信号Ｓｄ３の波形形状も入力信号Ｓｉと同一である。【００５６】
図２にあらわされたように、加算部５から出力された加算信号Ｓｄａは、遅延信号Ｓｄ１、Ｓｄ２およびＳｄ３が遅延時間設定部４において設定された遅延時間ｄ１、ｄ２、ｄ３だけ遅れて、繰り返しあらわれる信号となる。【００５７】
パラメータ検出部６には、加算信号Ｓｄａが入力される。加算信号Ｓｄａは、パラメータ検出部内６において、加算信号Ｓｄａのパラメータ成分が検出され、当該パラメータ成分がパラメータ信号Ｓｄｅとして出力される。【００５８】
具体的には、パラメータ検出部６内にはＬＰＦ（Low Pass Filter）等のフィルター類が設けられており、原音となる入力信号Ｓｉの低周波数成分を主成分とするバスドラムなどの拍子をあらわす信号が変化信号Ｓｄｅとして出力される。したがって、低周波数成分を主成分とする変化信号Ｓｄｅには、入力信号Ｓｉ中の主に拍子をあらわす成分がより多く含まれることになる。聴取者がディスコやダンスホール等の遊興施設で踊る場合には、低周波数成分をより多く含むバスドラムなどの音を拍子としてステップを踏んでいることが多い。そのために、パラメータ検出部６によって検出された拍子を基にして、後述する効果音を発生させることによって、聴取者は違和感をなくステップをふみながら効果音を楽しむことができるようになるのである。【００５９】
信号変換部８には、パラメータ検出部６から出力されたパラメータ信号Ｓｄｅが入力される。信号変換部８は、パラメータ信号Ｓｄｅと、強度調整部７から出力されて変調強度をあらわす強度調整信号Ｓｓとを基に変調部ＭＢを制御するための制御信号Ｓｄｍを生成する。【００６０】
具体的には、信号変換部８は、入力されたパラメータ信号Ｓｄｅの振幅レベルの絶対値│Ｓｄｅ│を検出したのちに、変調部ＭＢの変調方式に合わせた制御信号Ｓｄｍを生成する。図３に、入力されたパラメータ信号Ｓｄｅの振幅レベルの絶対値信号である│Ｓｄｅ│信号をあらわす。この信号は図２における加算信号Ｓｄａ信号の包絡線のうち、図２における時間軸の上側の包絡線をあらわした信号である。信号変換部８において、│Ｓｄｅ│信号が生成される。【００６１】
そして、信号変換部８は強度調整部７から出力される強度調整信号７に基いて、│Ｓｄｅ│信号の振幅の大きさを変化させる。【００６２】
具体的には、信号変換部８は、強度調整部７に入力される値が大きい場合には、│Ｓｄｅ│信号の振幅の大きさを大きくし、強度調整部７に入力される値が小さい場合には、│Ｓｄｅ│信号の振幅の大きさを小さくする。│Ｓｄｅ│信号の振幅の大きさが大きい場合には、制御信号Ｓｄｍの変化が大きくなり、変調部８における変調の度合いが大きくなる。また、│Ｓｄｅ│信号の振幅の大きさが小さい場合には、制御信号Ｓｄｍの変化は小さくなり、変調部８における変調の度合いが小さくなる。【００６３】
強度調整部７に入力される値は、数値で入力される場合のほか、連続して変化するボリューム等の可変抵抗器によって入力されることも可能である。【００６４】
たとえば、円筒状のオーディオ用のつまみにより強度調整部７が形成されている場合、このつまみが右に回転させられるとき（時計方向）には、強度調整部７に入力される値が大きくなるものとして、強度調整部７から出力される強度調整信号Ｓｓを大きくなるように変化させる。その結果、信号変換部８において、│Ｓｄｅ│信号の振幅の大きさは、円筒状のオーディオ用つまみの回転位置に応じて徐々に大きく変化するように制御される。円筒状のオーディオ用のつまみが左に回転させられるとき（反時計方向）には、強度調整部７に入力される値が小さくなるものとして、強度調整部７から出力される強度調整信号Ｓｓを小さくなるように変化させる。その結果、信号変換部８において、│Ｓｄｅ│信号の振幅の大きさは、円筒状のオーディオ用つまみの回転位置に応じて徐々に小さく変化するように制御される。【００６５】
変調部ＭＢには、信号変換部８から出力された制御信号Ｓｄｍと入力信号Ｓｉとが入力される。変調部ＭＢにおいて、入力信号Ｓｉは、制御信号Ｓｄｍにもとづいてあらかじめ定められている変調方式によって変調される。変調された信号は出力信号Ｓｏとして、変調部ＭＢから出力される。【００６６】
出力信号Ｓｏは、加算部５によって加算された、入力信号Ｓｉに同期した遅延信号Ｓｉｄ１、Ｓｉｄ２、Ｓｉｄ３が信号変換部８に入力されるタイミングを基準に、変調部ＭＢで変調されている。すなわち、入力信号Ｓｉのリズムに合わせて、入力信号Ｓｉが変調され、音処理装置Ｓのエフェクタとしての機能が発揮された効果音である出力信号Ｓｏが音処理装置Ｓから出力されるのである。出力装置Ｓから出力された出力信号Ｓｏは、図示しない電力増幅装置に入力を介して、図示しないスピーカに接続されて聴取者に、効果音として提供される。【００６７】
このように音処理装置Ｓによれば、変調される入力信号Ｓｉの拍子の間隔が一定でない場合や、変調される入力信号Ｓｉの拍子の間隔が徐々に長くなる場合や短くなる場合であったとしても、変調される音の拍子と同期して、変調される音が変調され、効果音が発生するようになる。【００６８】
具体的には、上記構成によりＣＤ再生装置やＤＶＤ再生装置等の情報再生装置で再生された楽曲などの音に効果音を付加するタイミングが一定となることにより、CＤ再生装置等の情報再生装置で再生された楽曲などの音の拍子およびリズムに変動があった場合にも、拍子の発生後一定時間内に効果音が生成されるため、聴取者は違和感を感ぜずに、楽曲等の音の効果音を楽しむことができる。【００６９】
また、ディスクジョッキーにとっても、効果音が聴取者にとって違和感なく連続して発生するので、効果音の発生タイミングを微調整するなどの煩わしい作業を行うことがなくなる。また、次に再生させるべきＣＤ等の情報記録媒体の選択や、次に発生させるべき効果音の選択に集中することができるようになり、ディスクジョッキーにとって非常に操作性のよい音処理装置Ｓを提供できるようになる。【００７０】
（II）本願の第１の実施形態
次に、図４乃至図６を用いて、第１の実施形態について説明する。第１の実施形態は、複数の遅延時間を設定できる遅延部ＤＢとしてのいわゆるタップディレイ回路と、入力された音にわずかに遅れた音を加えて、その遅延時間を変化させることで独特のうねりの効果音を得るいわゆるフランジャーとを組み合わせた装置に本願を適用した場合の実施形態である。【００７１】
図４は第１の実施形態のブロック図であり、図５は第１の実施形態における変調方法をあらわす図であり、図６は第１の実施形態の動作をあらわすフローチャートである。【００７２】
図４の第１の実施形態において、図１の全体構成及び動作と重複する部分は同一符号を付し、説明を省略する。【００７３】
次に本実施形態において特有の変調部ＭＢ１について説明する。変調部ＭＢ１は、遅延部９と、レゾナンス量設定部１０と、加算部１１と、バッファ部１２と、加算部１３とを設けて構成される。【００７４】
遅延部９は、信号変換部８からの制御信号Ｓｄｍを制御信号として入力し、制御信号Ｓｄｍの信号レベルに応じて、入力される信号である信号Ｓｉ１１を遅延させ、信号Ｓｉ９として出力する。【００７５】
制御信号Ｓｄｍと信号Ｓｉ１１の遅延時間との関係を図５に示す。横軸は時間軸をあらわし、縦軸は遅延部９に入力される信号Ｓｉ１１が遅延部９において遅延する時間をあらわしている。図５においてあらわされている波形Ｓｄｍ１は、制御信号Ｓｄｍの波形と相似となっている。【００７６】
具体的に、信号Ｓｉ１１が遅延部９において遅延される方法を説明する。時間ｔ１における遅延時間は０ｍｓなので、信号Ｓｉ１１は遅延部９で遅延されることなく遅延部９の出力信号Ｓｉ９として出力される。また、時間ｔ２における遅延時間ｄｍ２は縦軸の遅延時間より２０ｍｓに設定されていることがわかる。これは、時間ｔ２において、信号Ｓｉ１１が遅延部９において２０ｍｓ遅延した後に信号Ｓｉ９として出力されることをあらわしている。さらに、また、時間ｔ３における遅延時間ｄｍ３は５ｍｓに設定されている。これは、時間ｔ３において、信号Ｓｉ１１が遅延部９において５ｍｓ遅延した後に信号Ｓｉ９として出力されることをあらわしている。【００７７】
図５であらわされるように、制御信号Ｓｄｍの振幅レベルに比例して、遅延部９に入力された信号Ｓｉ１１が連続的に遅延していき、遅延時間の経過後に信号Ｓｉ９として出力される。【００７８】
レゾナンス量設定部１０は、遅延部９の出力である信号Ｓｉ９を入力し、信号Ｓｉ９をユーザが設定したゲインコントロール値に基いて利得を調整し、利得調整された信号を信号Ｓｉ１０として出力する。【００７９】
例えば、円筒状のオーディオ用のつまみによりレゾナンス量設定部１０が構成されている場合に、このつまみがユーザによって右に回転される場合（時計方向）には、つまみが回転される前に比べて振幅が大きい信号である信号Ｓｉ１０が出力される。また、このつまみがユーザによって左に回転される場合（反時計方向）には、つまみが回転される前に比べて振幅が小さい信号である信号Ｓｉ１０が出力される。【００８０】
加算部１１は、入力信号Ｓｉと等価であるバッファ部１２の出力信号である信号Ｓｉ１２と、入力信号Ｓｉが遅延部９で時間遅延された後にレゾナンス量設定部１０で利得調整された信号Ｓｉ１０とを加算し、出力信号として信号Ｓｉ１２を出力する。【００８１】
バッファ部１２は入力抵抗が大きく、出力抵抗が小さくなるように構成されている。バッファ部１２には入力信号Ｓｉが入力され、信号Ｓｉ１２が出力される。バッファ部１２において、インピーダンス変化が行われ、入力信号Ｓｉの入力インピーダンスは大きくいが、信号Ｓｉ１２の出力インピーダンスは小さくなる。その結果、バッファ部１２の次段にあたる加算部１１において、入力信号Ｓｉを効率よく加算することができるようになっている。なお、バッファ部１２の前後において波形の変化は起こらない。【００８２】
加算部１３は、遅延部９から出力された信号Ｓｉ９と、入力信号Ｓｉとを加算して出力信号Ｓｏとして出力する。【００８３】
この出力は、入力信号Ｓｉと遅延部９によって入力信号Ｓｉが遅延された信号Ｓｉ９とが加算されることで干渉が生じ周波数に細かい山と谷が発生し、ゆっくりとした信号変化が生じる。この結果、出力信号Ｓｏをスピーカ等の拡声器を介して聴衆した場合には、ジェット機の通過音がうねりをもったような効果音が得られる。【００８４】
また、入力信号Ｓｉに信号Ｓｉ９が加算されているので、入力信号Ｓｉの拍子と同期した、遅延時間設定部４において設定された時間の経過後に、効果音が拡声されることになる。【００８５】
図６は第１の実施形態の動作を示すフローチャートである。【００８６】
ステップＳ１において、第１の実施形態の音処理装置Ｓ１に入力される信号である入力信号Ｓｉが入力される。【００８７】
ステップＳ２において、遅延時間設定部４において設定された遅延時間に基づいて、入力信号Ｓｉを遅延する。遅延時間ｄ１だけ遅延された遅延信号Ｓｄ１０が遅延部１から出力され、遅延時間ｄ２だけ遅延された遅延信号Ｓｄ２０が遅延部２から出力され、遅延時間ｄ３だけ遅延された遅延信号Ｓｄ３０が遅延部３から出力される。【００８８】
ステップＳ３において、ステップＳ３において発生した遅延信号Ｓｄ１０、遅延信号Ｓｄ２０および遅延信号Ｓｄ３０が加算部５において加算される。加算された信号は加算信号Ｓｄａとして出力される。【００８９】
ステップＳ４において、加算信号Ｓｄａに含まれる信号成分のうち、おもに比較的低周波数成分を多く含むパラメータ信号Ｓｄｅを拍子検出部１４において検出する。【００９０】
ステップＳ５において、パラメータ信号Ｓｄｅから、パラメータ信号Ｓｄｅの絶対値である│Ｓｄｅ│を信号変換部８で検出したのちに、その検出信号を制御信号Ｓｄｍとして信号検出部８から出力する。【００９１】
ステップＳ６において、遅延部９は制御信号Ｓｄｍの振幅レベルに応じて、遅延部９に入力される信号Ｓｉ１１を遅延させて、遅延部９から信号Ｓｉ９として出力する。【００９２】
ステップＳ７において、加算部１３は、遅延部９から出力される遅延信号である信号Ｓｉ９と、音処理装置Ｓ１に入力される入力信号Ｓｉを加算して、音処理装置Ｓ１から出力信号Ｓｏを出力する。出力信号Ｓｏは、スピーカ等の拡声器（図示せず。）を介して聴衆した場合には、ジェット機の通過音がうねりをもったような効果音として聴取される。【００９３】
ステップＳ８において、レゾナンス量設定部１０は、遅延部９から出力された信号Ｓｉ９を、利得調整する。利得調整された信号は、レゾナンス量設定部１０から信号Ｓｉ１０として出力される。【００９４】
ステップＳ９において、バッファ部１２から出力された信号Ｓｉ１２と、レゾナンス量設定部１０から出力された信号Ｓｉ１０とを加算部１１が加算し、信号Ｓｉ１１として遅延部９に出力する。【００９５】
ステップＳ１０において、バッファ部１０に入力される入力信号Ｓｉの有無が判断される。入力信号Ｓｉがない場合には、処理が終了する。入力信号Ｓｉがある場合には、ステップＳ６に戻る。【００９６】
本実施形態のＳ１によれば、音量レベル検出手段の一例である信号変換部８によって検出された音量レベルに基づいて、変調される音に時間遅延が発生する。また、時間遅延された変調される音が、第１の加算手段の一例である加算器１３によって、時間遅延が発生していない変調される音に加算される。時間遅延は、音量レベルに基づいて発生するので、変調される音の拍子と同期した一定時間間隔毎に、変調される音と時間遅延した変調される音が加算される。このときの時間遅延量は、音量レベルに基づいて変化するので、加算された出力音は独特のうねりをもった効果音が出力されることになる。【００９７】
したがって、この音処理装置Ｓ１によれば、変調される音の拍子に同期した一以上の独特のうねりをもった効果音を発生させることができる。その結果、一つの拍子に対して多彩な時間差を持つ音の効果音を楽しむことが可能になる。【００９８】
また、ディスクジョッキーの感覚により、時間差設定手段の一例としての遅延時間設定部４によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【００９９】
さらに、ディスクジョッキーは、効果音が拍子とずれることを心配する必要がないので、次の効果音を発生する準備や次に再生されるべき音を時間的に余裕をもって選択することができるようになる。【０１００】
具体的には、従来は、単純な三角波形や三角関数であるサイン波形の音量レベルに基づいて変調の態様を決めていたために、決まったパターンに基づいた変調度合いによる効果音のみしか聴取者は楽しむことができなかった。しかし、この実施形態の構成によれば、変調される音の波形は、自在に変化するため、変調の態様も予期せぬパターンとなり、ユーザは様々なパターンの効果音を楽しむことが可能となる。【０１０１】
例えば、ディスクジョッキーが音処理装置を用いて、ダンスホール等の踊り場所において様々な効果音を発生することができるので、ユーザは様々な踊りかたを楽しむことが可能となる。【０１０２】
本実施形態においては、遅延時間設定部４において遅延される遅延時間および遅延部の数が３個の場合について説明したが、本実施形態は３個に限られるわけではなく、遅延時間設定部４において遅延される遅延時間および遅延部の数は、３個に限定されるわけではなく任意の数を用いて構成することができる。【０１０３】
（III）本願の第２の実施形態
次に、図７乃至図９を用いて、第２の実施形態について説明する。第２の実施形態は、複数の遅延時間を設定できる遅延部ＤＢとしてのいわゆるタップディレイ回路と、入力された音に対して位相が変化した音を加えて、その位相を変化させることで独特のうねりの効果音を得るいわゆるフェイザーとを組み合わせた装置に本願を適用した場合の実施形態である。【０１０４】
図７は第２の実施形態のブロック図であり、図８は第２の実施形態における変調方法をあらわす図であり、図９は第２の実施形態の動作をあらわすフローチャートである。【０１０５】
図７の第２の実施形態において、図１の全体構成及び動作と重複する部分は同一符号を付し、説明を省略する。【０１０６】
次に第２の実施形態に特有の変調部ＭＢ２は、レゾナンス量設定部１０と、加算部１１と、バッファ部１２と、加算部１３と、ＡＰＦ（All Pass Filter）部１６と、を設けて構成される。ＡＰＦ部１６は、すべての周波数範囲の信号を通過させ，位相だけを変化させる目的で使われるフィルター回路である。ＡＰＦ部１６は、信号変換部８からの制御信号Ｓｄｍを制御信号として入力し、制御信号Ｓｄｍの信号レベルに応じて、入力される信号である信号Ｓｉ１５の位相遅延量を変化させ、信号Ｓｉ１３として出力する。【０１０７】
制御信号Ｓｄｍと信号Ｓｉ１３の位相遅延量との関係を図８に示す。横軸は時間軸をあらわす。縦軸は位相角（２πで３６０度をあらわす。）をあらわし、ＡＰＦ部１６に入力される信号Ｓｉ１５がＡＰＦ部１６において位相遅延する角度をあらわしている。図５においてあらわされている波形Ｓｄｍ２は、制御信号Ｓｄｍと相似波形となっている。【０１０８】
具体的に、信号Ｓｉ１５がＡＰＦ部１６において位相遅延される方法を説明する。時間ｔ４における位相は０なので、信号Ｓｉ１５はＡＰＦ部１６で位相遅延されることなく、入力された信号Ｓｉ１５がそのままＡＰＦ部１６の信号Ｓｉ１３として出力される。また、時間ｔ５における位相遅延量ｐｍ２は縦軸の位相角度より３・π／１０に設定されていることがわかる。これは、時間ｔ５において、信号Ｓｉ１５がＡＰＦ部１６において３・π／１０位相遅延した後に信号Ｓｉ１３として出力されることをあらわしている。さらに、また、時間ｔ６における位相遅延量ｐｍ３は１・π／１０に設定されている。これは、時間ｔ６において、信号Ｓｉ１５がＡＰＦ部１６において１・π／１０位相遅延した後に信号Ｓｉ１３として出力されることをあらわしている。【０１０９】
図８であらわされるように、制御信号Ｓｄｍの振幅レベルに比例して、ＡＰＦ部１６に入力された信号Ｓｉ１５が連続的に位相遅延していき、当該位相遅延の後に信号Ｓｉ１３として出力される。【０１１０】
レゾナンス量設定部１０は、ＡＰＦ部１６の出力である信号Ｓｉ１３を入力し、信号Ｓｉ１３をユーザが設定したゲインコントロール値に基づいて利得を調整し、利得調整された信号を信号Ｓｉ１４として出力する。【０１１１】
例えば、円筒状のオーディオ用のつまみによりレゾナンス量設定部１０が構成されている場合に、このつまみがユーザによって右に回転される場合（時計方向）には、つまみが回転される前に比べて振幅が大きい信号である信号Ｓｉ１４が出力される。また、このつまみがユーザによって左に回転される場合（反時計方向）には、つまみが回転される前に比べて振幅が小さい信号である信号Ｓｉ１４が出力される。【０１１２】
加算部１１は、入力信号Ｓｉと等価であるバッファ部１２の出力信号である信号Ｓｉ１２と、入力信号ＳｉがＡＰＦ部１６で位相遅延された後にレゾナンス量設定部１０で利得調整された信号Ｓｉ１４とを加算し、出力信号として信号Ｓｉ１５を出力する。【０１１３】
加算部１３は、遅延部９から出力された信号Ｓｉ９と、入力信号Ｓｉとを加算して出力信号Ｓｏとして出力する。【０１１４】
この出力は、入力信号ＳｉとＡＰＦ部１６によって入力信号Ｓｉが位相遅延された信号Ｓｉ１３とが加算されることで干渉が生じ周波数に細かい山と谷が発生し、ゆっくりとした信号変化が生じる。この結果、出力信号Ｓｏをスピーカ等の拡声器を介して聴衆した場合には、独特のうねりをもったような効果音が得られる。【０１１５】
また、入力信号Ｓｉに信号Ｓｉ１３が加算されているので、入力信号Ｓｉの拍子と同期した、遅延時間設定部４において設定された時間の経過後に、効果音が拡声されることになる。【０１１６】
図８は第２の実施形態の動作を示すフローチャートである。【０１１７】
ステップＳ２１において、第２の実施形態の音処理装置Ｓ２に入力される信号である入力信号Ｓｉが入力される。【０１１８】
ステップＳ２２において、遅延時間設定部４において設定された遅延時間に基づいて、入力信号Ｓｉを遅延する。遅延時間ｄ１だけ遅延された遅延信号Ｓｄ１０が遅延部１から出力され、遅延時間ｄ２だけ遅延された遅延信号Ｓｄ２０が遅延部２から出力され、遅延時間ｄ３だけ遅延された遅延信号Ｓｄ３０が遅延部３から出力される。【０１１９】
ステップＳ２３において、ステップＳ２２において発生した遅延信号Ｓｄ１０、遅延信号Ｓｄ２０および遅延信号Ｓｄ３０が加算部５において加算される。加算された信号は加算信号Ｓｄａとして出力される。【０１２０】
ステップＳ２４において、加算信号Ｓｄａに含まれる信号成分のうち、おもに比較的低周波数成分を多く含むパラメータ信号Ｓｄｅを拍子検出部１４において検出する。【０１２１】
ステップＳ２５において、パラメータ信号Ｓｄｅから、パラメータ信号Ｓｄｅの絶対値である│Ｓｄｅ│を信号変換部８で検出したのちに、さらに信号検出部８において│Ｓｄｅ│の包絡線を検出する。その検出信号を制御信号Ｓｄｍとして信号検出部８から出力する。【０１２２】
ステップＳ２６において、ＡＰＦ部１６は制御信号Ｓｄｍの振幅レベルに応じて、ＡＰＦ部１６に入力される信号Ｓｉ１５を位相遅延させて、ＡＰＦ部１６から信号Ｓｉ１３として出力する。【０１２３】
ステップＳ２７において、加算部１３は、ＡＰＦ部１６から出力される位相遅延信号である信号Ｓｉ１３と、音処理装置Ｓ２に入力される入力信号Ｓｉを加算して、音処理装置Ｓ２から出力信号Ｓｏを出力する。出力信号Ｓｏは、スピーカ等の拡声器（図示せず。）を介して聴衆した場合には、独特のうねりをもったような効果音として聴取される。【０１２４】
ステップＳ２８において、レゾナンス量設定部１０は、ＡＰＦ部１６から出力された信号Ｓｉ１３を、利得調整する。利得調整された信号は、レゾナンス量設定部１０から信号Ｓｉ１４として出力される。【０１２５】
ステップＳ２９において、バッファ部１２から出力された信号Ｓｉ１２と、レゾナンス量設定部１０から出力された信号Ｓｉ１４とを加算部１１が加算し、信号Ｓｉ１５としてＡＰＦ部１６に出力する。【０１２６】
ステップＳ３０において、バッファ部１０に入力される入力信号Ｓｉの有無が判断される。入力信号Ｓｉがない場合には、処理が終了する。入力信号Ｓｉがある場合には、ステップＳ２６に戻る。【０１２７】
本実施形態の音処理装置Ｓ２によれば、変調される音の拍子に同期した一以上の独特のうねりをもった高周波数成分が強調された音を発生させることができる。その結果、一つの拍子に対して多彩な時間差を持つ音の効果音を楽しむことが可能になる。【０１２８】
また、ディスクジョッキーの感覚により、遅延時間設定部４によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【０１２９】
さらに、ディスクジョッキーは、効果音が拍子とずれることを心配する必要がないので、次の効果音を発生する準備や次に再生されるべき音を時間的に余裕をもって選択することができるようになる。【０１３０】
（IV）本願の第３の実施形態
次に、図１０および図１１を用いて、第３の実施形態について説明する。第３の実施形態は、複数の遅延時間を設定できる遅延部ＤＢとしてのいわゆるタップディレイ回路と、入力された音に対して低域通過周波数が変化した音を加えて、その低域通過周波数の遮断周波数を変化させることで独特の効果音を得るいわゆるフィルター回路とを組み合わせた装置に本願を適用した場合の実施形態をあらわしている。【０１３１】
図１０は第３の実施形態のブロック図であり、図９は第３の実施形態の動作をあらわすフローチャートである。【０１３２】
図１０の第３の実施形態において、図１の全体構成及び動作と重複する部分は同一符号を付し、説明を省略する。【０１３３】
変調部ＭＢ２は、レゾナンス量設定部１０、加算部１１、バッファ部１２、加算部１３、フィルター部１５とを設けて構成される。【０１３４】
フィルター部１５は、低域の周波数範囲の信号を通過させるいわゆるＬＰＦ回路である。フィルター部１５は、信号変換部８からの制御信号Ｓｄｍを制御信号として入力し、制御信号Ｓｄｍの信号レベルに応じて、入力される信号である信号Ｓｉ１８の低域遮断周波数を変化させ、当該低域遮断周波数以下の低域周波数成分を信号Ｓｉ１６として出力する。【０１３５】
制御信号Ｓｄｍと信号Ｓｉ１８の低域遮断周波数との関係を図１１に示す。横軸は時間軸をあらわす。縦軸は遮断周波数（Ｈｚ）をあらわし、フィルター部１５に入力される信号Ｓｉ１８がフィルター部１５を通過する低周波数成分の上限近傍の周波数を意味する。図１１においてあらわされている波形Ｓｄｍ３は、制御信号Ｓｄｍと相似波形となっている。【０１３６】
具体的に、図１１を用いてフィルター部１５が信号Ｓｉ１８の低域遮断周波数を変化させる方法を説明する。時間ｔ７における遮断周波数はｆｍ１Ｈｚなので、信号Ｓｉ１８の周波数成分のうちｆｍ１周波数近辺以下にあたる周波数成分はフィルター部１５をそのまま通過する。しかし、信号Ｓｉ１８の周波数成分のうちｆｍ１周波数近辺以上にあたる周波数はフィルター部１５で大きく減衰する。【０１３７】
また、時間ｔ８における低域遮断周波数はｆｍ２に設定されていることがわかる。これは、時間ｔ８における信号Ｓｉ１８の周波数成分のうちｆｍ２周波数近辺以下にあたる周波数成分はフィルター部１５をそのまま通過することをあらわしている。しかし、信号Ｓｉ１８の周波数成分のうちｆｍ２周波数近辺以上にあたる周波数はフィルター部１５で大きく減衰することになる。【０１３８】
さらに、時間ｔ９における低域遮断周波数はｆｍ３に設定されていることがわかる。これは、時間ｔ９における信号Ｓｉ１８の周波数成分のうちｆｍ３周波数近辺以下にあたる周波数成分はフィルター部１５をそのまま通過することをあらわしている。しかし、信号Ｓｉ１８の周波数成分のうちｆｍ３周波数近辺以上にあたる周波数はフィルター部１５で大きく減衰することになる。【０１３９】
図１１であらわされるように、制御信号Ｓｄｍの振幅レベルに比例して、フィルター部１５に入力された信号Ｓｉ１５の低域遮断周波数が連続的に変化していき、当該低域遮断周波数よりも低い周波数成分が信号Ｓｉ１３として出力される。【０１４０】
図１２は第３の実施形態の動作を示すフローチャートである。【０１４１】
ステップＳ４１において、第３の実施形態の音処理装置Ｓ３に入力される信号である入力信号Ｓｉが入力される。【０１４２】
ステップＳ４２において、遅延時間設定部４において設定された遅延時間に基づいて、入力信号Ｓｉを遅延する。遅延時間ｄ１だけ遅延された遅延信号Ｓｄ１０が遅延部１から出力され、遅延時間ｄ２だけ遅延された遅延信号Ｓｄ２０が遅延部２から出力され、遅延時間ｄ３だけ遅延された遅延信号Ｓｄ３０が遅延部３から出力される。【０１４３】
ステップＳ４３において、ステップＳ４２において発生した遅延信号Ｓｄ１０、遅延信号Ｓｄ２０および遅延信号Ｓｄ３０が加算部５において加算される。加算された信号は加算信号Ｓｄａとして出力される。【０１４４】
ステップＳ４４において、加算信号Ｓｄａに含まれる信号成分のうち、おもに比較的低周波数成分を多く含むパラメータ信号Ｓｄｅを拍子検出部１４において検出する。【０１４５】
ステップＳ４５において、パラメータ信号Ｓｄｅから、パラメータ信号Ｓｄｅの絶対値である│Ｓｄｅ│を信号変換部８で検出したのちに、さらに信号検出部８において│Ｓｄｅ│の包絡線を検出する。その検出信号を制御信号Ｓｄｍとして信号検出部８から出力する。【０１４６】
ステップＳ４６において、フィルター部１５は制御信号Ｓｄｍの振幅レベルに応じて、フィルター部１５に入力される信号Ｓｉ１８の低周波数成分が通過する上限周波数を変化させて、当該周波数成分をフィルター部１５から信号Ｓｉ１６として出力する。【０１４７】
ステップＳ４７において、フィルター部１５から出力された信号Ｓｉ１６を音処理装置Ｓ３から出力される出力信号Ｓｏとして出力する。出力信号Ｓｏは、スピーカ等の拡声器（図示せず。）を介して聴衆した場合には、独特の低周波数のうねりをもった効果音として聴取される。【０１４８】
ステップＳ４８において、レゾナンス量設定部１０は、フィルター部１５から出力された信号Ｓｉ１６を、利得調整する。利得調整された信号は、レゾナンス量設定部１０から信号Ｓｉ１７として出力される。【０１４９】
ステップＳ４９において、バッファ部１２から出力された信号Ｓｉ１２と、レゾナンス量設定部１０から出力された信号Ｓｉ１７とを加算部１１が加算し、信号Ｓｉ１８としてフィルター部１５に出力する。【０１５０】
ステップＳ５０において、バッファ部１０に入力される入力信号Ｓｉの有無が判断される。入力信号Ｓｉがない場合には、処理が終了する。入力信号Ｓｉがある場合には、ステップＳ４６に戻る。【０１５１】
この音処理装置Ｓ３によれば、変調される音の拍子に同期して低周波数成分の遮断周波数が変化するので独特な音を発生させることができる。その結果、一つの拍子に対して多彩な時間差を持つ効果音を楽しむことが可能になる。【０１５２】
また、ディスクジョッキーの感覚により、時間差設定手段によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【０１５３】
さらに、ディスクジョッキーは、効果音が拍子とずれることを心配する必要がないので、次の効果音を発生する準備や次に再生されるべき音を時間的に余裕をもって選択することができるようになる。【０１５４】
以上述べてきたように本願によれば、ＣＤ再生装置等で再生された楽曲などの音が、変調される音として、遅延部４に入力される。変調される音の拍子が拍子検出部１４によって検出され、その拍子のタイミングに基づいて、信号変換部８によって変換信号が生成される。この変換信号は変調部ＭＢを制御するための制御信号であり、この変換信号の変化に基づいて、変調部ＭＢに入力されるＣＤ再生装置等で再生された楽曲などの音が変調される。すなわち、変調されるタイミングが、変調される音と同期をとって変調される。変調された音は効果音として出力される。【０１５５】
この構成によれば、変調される音の拍子の間隔が一定でない場合や、変調される音の拍子の間隔が徐々に長くなる場合や短くなる場合であったとしても、変調される音の拍子と同期して、変調される音が変調され、効果音が発生するようになる。【０１５６】
具体的には、上記構成によりＣＤ再生装置等の情報再生装置で再生された楽曲などの音に効果音を付加するタイミングが一定となることより、ＣＤ再生装置等の情報再生装置で再生された楽曲などの音の拍子およびリズムに変動があった場合にも、拍子の発生後一定時間内に効果音が生成されるため、聴取者は違和感を感ぜずに、楽曲等の音の効果音を楽しむことができる。【０１５７】
また、ディスクジョッキーにとっても、効果音が聴取者にとって違和感なく連続して発生するので、効果音の発生タイミングを微調整するなどの煩わしい作業を行うことがなくなる。また、次に再生させるべきＣＤ等の情報記録媒体の選択や、次に発生させるべき効果音の選択に集中することができるようになり、ディスクジョッキーにとって非常に操作性のよい音処理装置を提供できるようになる。【０１５８】
また、本願によれば、拍子検出部１４によって検出された、変調される音と同期した音が音量レベル検出手段に入力される。その後、信号変換部８によって変調される音の波形が検出される。そして、変調部ＭＢは、信号変換部８によって検出された波形のレベルが小さい部分に対応して、変調される音の変調の態様を小さくする。また、変調部ＭＢは、信号変換部８によって検出された波形のレベルが大きい部分に対応して、変調される音の変調の態様を大きくする。【０１５９】
従来は、単純な三角波形や三角関数であるサイン波形の音量レベルに基づいて変調の態様を決めていたために、決まったパターンに基づいた変調度合いによる効果音のみしか聴取者は楽しむことができなかった。【０１６０】
しかし、この構成によれば、変調される音の波形は、自在に変化するため、変調の態様も予期せぬパターンとなり、ユーザは様々なパターンの効果音を楽しむことが可能となる。【０１６１】
例えば、ディスクジョッキーが音処理装置を用いて、ダンスホール等の踊り場所において様々な効果音を発生することができるので、ユーザは様々な踊りかたを楽しむことが可能となる。【０１６２】
さらに、本願によれば変調される音信号と、遅延部ＤＢによって生成される同期音までの時間差を、遅延時間設定部４によって自由に設定でるようになる。また、この同期音は一つに限られるわけではなく複数時間差をもつ同期音を発生させることが可能となる。【０１６３】
この構成によれば、変調される音の拍子に同期して複数の同期音を発生させ、複数の同期音に基いて、変調手段によって複数の効果音を発生させることができる。その結果、一つの拍子に対して多彩なパターンの効果音を楽しむことが可能になる。【０１６４】
また、時間差は、時間差値が入力されることによって設定されることができるほか、ディスクジョッキーが拍子を手で叩いて入力することにより、自動的に変調される音の拍子からの時間差が設定されることも可能である。この場合には、ディスクジョッキーの感覚により、即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【０１６５】
さらに、ディスクジョッキーは、効果音が拍子とずれることを心配する必要がないので、次の効果音を発生する準備や次に再生されるべき音を時間的に余裕をもって選択することができるようになる。【０１６６】
さらに本願によれば、信号変換部８によって検出された音量レベルに基いて、変調される音に時間遅延が発生する。また、時間遅延された変調される音が、加算部１１によって、時間遅延が発生していない変調される音に加算される。時間遅延は、音量レベルに基いて発生するので、変調される音の拍子と同期した一定時間間隔毎に、変調される音と時間遅延した変調される音が加算される。このときの時間遅延量は、音量レベルに基いて変化するので、加算された出力音は独特のうねりをもった高周波数成分が強調された音が出力されることになる。【０１６７】
この構成によれば、変調される音の拍子に同期した一以上の独特のうねりをもった高周波数成分が強調された音を発生させることができる。その結果、一つの拍子に対して多彩な時間差を持つ音の効果音を楽しむことが可能になる。【０１６８】
また、ディスクジョッキーの感覚により、時間差設定手段によって即興的に効果音を発生させることができる。さらに、この音処理装置は、その場の雰囲気やＣＤプレーヤー等の情報再生装置から出力されている音に合わせて多彩な効果音を、変調される音の拍子にあわせて発生させることができるので、変調される音の拍子に合わせて、聴取者は刺激的な効果音を楽しむことが可能となる。【０１６９】
さらに、ディスクジョッキーは、効果音が拍子とずれることを心配する必要がないので、次の効果音を発生する準備や次に再生されるべき音を時間的に余裕をもって選択することができるようになる。【０１７０】
さらに本願によれば、信号変換部８によって検出された音量レベルに基づいて、変調される音に位相遅延が発生する。また、位相遅延された変調される音が、加算部１１によって、位相遅延が発生していない変調される音に加算される。位相遅延は、音量レベルに基づいて発生するので、変調される音の拍子と同期した一定時間間隔毎に、変調される音と位相遅延した変調される音が加算される。このときの位相遅延量は、音量レベルに基いて変化するので、加算された出力音は独特のうねりをもった高周波数成分が強調された音が出力されることになる。【０１７１】
したがって、この音処理装置によれば、変調される音の拍子に同期した一以上の独特のうねりをもった高周波数成分が強調された音を発生させることができる。その結果、一つの拍子に対して多彩な時間差を持つ音の効果音を楽しむことが可能になる。【０１７２】
さらに、本願によれば、信号変換部８によって検出された音量レベルに基いて、変調される音の通過周波数が特定周波数帯域通過手段によって変化する。また、特定周波数帯域のみが通過した変調される音が、加算部１１によって、変調される音である原音に加算される。特定周波数帯域は、音量レベルに基づいて変化するので、加算された音は、低音から高音までの独特のうねるような効果音を出力することになる。【０１７３】
したがって、この音処理装置によれば、変調される音の拍子に同期した高周波数成分と低い周波数成分との間を往復する一以上の独特な音を発生させることができる。その結果、一つの拍子に対して多彩な時間差を持つ効果音を楽しむことが可能になる。【０１７４】
また、図６、図９および図１２のフローチャートに対応するプログラムを、フレキシブルディスクに予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【図１】
0004241830.tif 000002
【図２】
0004241830.tif 000003
【図３】
0004241830.tif 000004
【図４】
0004241830.tif 000005
【図５】
0004241830.tif 000006
【図６】
0004241830.tif 000007
【図７】
0004241830.tif 000008
【図８】
0004241830.tif 000009
【図９】
0004241830.tif 000010
【図１０】
0004241830.tif 000011
【図１１】
0004241830.tif 000012
【図１２】
0004241830.tif 000013